【手続補正書】
【提出日】平成18年8月1日(2006.8.1)
【手続補正１】
【補正対象書類名】特許請求の範囲
【補正対象項目名】全文
【補正方法】変更
【補正の内容】
【特許請求の範囲】
【請求項１】
上部(26，28；  142，144)と下部(26，28)とを有し上方に伸びる中央支持構造（22，142，144）と、
前記中央支持構造の下部において前記中央支持構造の両側に固定された一対の折りたたみ式容器(30，32)とを備え、
前記容器は、それぞれ上縁(57)と下縁(52，53)とを有し互いに接続された３個の垂直側壁(40，42，44；  41，43，45)と、前記各側壁の前記下縁及び前記中央支持構造の前記下部から伸びるフランジ(40(47)，58，88，100)から構成される底壁とを備える搬送装置であって、
前記フランジの少なくとも２個(58，100)は、前記容器の底部の対向角部において、残りのフランジのうち隣接するフランジ(46，88)に固定され、
前記少なくとも２個のフランジ(58，100)は、前記側壁が折り込まれるときには前記容器の内側に前記フランジが折り込まれるように、また側壁が広げられるときには前記フランジが広げられ底支持構造を形成するように、折り込み可能であることを特徴とする搬送装置。
【請求項２】
前記フランジ(46，47)の一つは、前記底壁のほぼ全巾に亘って伸びていることを特徴とする請求項１記載の搬送装置。
【請求項３】
前記中央支持構造は、前記上部の前記上縁におけるヒンジ構造(143)又は接着剤からなる手段によって互いに固定されている２つのパネル(26，28；  142，144)を含むことを特徴とする請求項１記載の搬送装置。
【請求項４】
前記フランジの一つは、前記各側壁の下縁から伸びており、斜めの折り線(86，98)が前記容器の底部の対向した角部に形成されていることを特徴とする請求項１記載の搬送装置。
【請求項５】
中央支持構造(22，142，144)と、前記中央支持構造に固定された少なくとも一つの折りたたみ式トレイ(32)とを備え、
前記トレイは、垂直側壁構造(40，42，44)と、縁（52）及びこの縁に対向する対向縁（55）を有する水平支持パネル(46)とからなり、
前記水平支持パネルは、前記縁（52）において、前記垂直側壁構造又は前記中央支持構造に折りたたみ可能に固定されている搬送装置であって、
前記水平支持パネルは、前記垂直側壁構造と前記水平支持パネルの両方が前記側壁と前記搬送装置を直立させるように部分的または全体的に広げられたときに、前記垂直側壁構造にはめ込まれ係合するような大きさと形状を有し、
搬送装置によって運ぶべき荷を支持するために前記側壁構造に対して前記水平支持パネルを保持する保持構造(58，88，100)を備え、搬送装置が広げられたとき前記水平支持パネルの下部を保持構造が伸びていることを特徴とする搬送装置。
【請求項６】
前記水平支持パネルは、中実なパネル(46)又は飲み物容器を受け入れ保持する形状である少なくとも一つの孔(48又は50)を有するパネルからなることを特徴とする請求項５記載の搬送装置。
【請求項７】
前記側壁構造が広げられたときに、自動的に前記水平支持パネルを広げ前記側壁構造にはめ込むために、前記側壁構造と水平支持パネルとを相互に連結する連結構造(58，96)を含むことを特徴とする請求項６記載の搬送装置。
【請求項８】
底部に細長い溝(78)を有する別のトレイ(70)を含み、前記中央支持構造は前記溝を通って伸び、前記中央支持構造は、上縁(36，143)と、前記上縁近傍にあるハンドホール(34)とを有することを特徴とする請求項６記載の搬送装置。
【請求項９】
前記中央支持構造に固定された第２の折りたたみ式トレイ(30)を備え、前記中央支持構造は２枚の支持パネル(26，28；  142，144)を有し、
前記トレイの一つは前記支持パネルの一つに固定され、前記トレイの他方は前記支持パネルの他方に固定され、
前記支持パネルは、前記支持パネルの一つの縁に沿ったヒンジ（143）又は前記支持パネルを互いに接着する接着剤からなる手段によって互いに固定されていることを特徴とする請求項５記載の搬送装置。
【請求項１０】
前記中央支持構造に装着された補助の食品搬送装置(141)を含み、前記補助の食品搬送装置は２枚の平行な支持パネル(142，144)と各支持パネルに取付けられた食品受け用トレイとを有し、前記平行な支持パネルは前記中央支持構造上を下方に伸びていることを特徴とする請求項５記載の搬送装置。
【請求項１１】
客の注文に応じて食品を準備し、
中央支持パネルの両側に２個のトレイの垂直側壁を形成する一対の折りたたみ式垂直側壁と水平パネル構造を有する折りたたみ式食品搬送装置を広げる食品搬送方法であって、
水平面に置かれたときに前記食品搬送装置が上向きに保たれるように前記水平パネルは前記垂直側壁を支持し、
前記搬送装置が直立して水平面に置かれている間に前記トレイに食品を載せることを特徴とする食品搬送方法。
【手続補正２】
【補正対象書類名】明細書
【補正対象項目名】００１０
【補正方法】変更
【補正の内容】
【００１０】
（一般的説明）
まず図１を参照すると、本発明の食品搬送装置２０は、２枚の個別のファイバーボードパネル２６，２８からなる中央垂直支持パネル２２を有し、ファイバーボードパネル２６，２８は互いに接着剤で接着され積層を形成している。
カップ６２のような４個のカップまで飲み物を入れ運ぶため、または固形食品を運ぶため、２個のトレイ３０，３２が中央パネル２２の両側から外方に延びている。
側壁７２，７４及び細長い中央溝７８が付いた底部壁７６を備える、任意に使用される補助トレイ７０もまた図１に示されている。
客がいくつかの飲み物と固形食品を注文した場合には、補助トレイ７０は、溝７８を通って伸びる中央支持パネル２２にはめこまれる。すると、補助トレイ７０は、飲み物カップの頂部に載るまで、またはトレイ３０，３２の上端部５７に載るまで下方にスライドする。ハンドホール（手穴）３４は中央支持パネル２２に設けられ、ハンドホール３４に片手を入れ片手のみ使用してアセンブリ（組立体）全体が販売スタンドからスタジアムなどの座席まで運ばれる。
客は座席に戻ると、固形食品をトレイ７０から取り、トレイ７０をすべらせ中央支持パネル２２からはずし、飲み物をトレイ３０，３２から取りはずし食物を注文した人々に配る。
【手続補正３】
【補正対象書類名】明細書
【補正対象項目名】００１２
【補正方法】変更
【補正の内容】
【００１２】
（好ましい搬送装置基部）
図１に示される好ましい搬送装置基部は、基部が比較的容易に素早く広げられ、しかも水平面に直立させることができるため、基部に食品を載せる速度が非常に速くなるような構成を有している。
図１、図２の両図面を参照すると、トレイ３２は部分４０，４２及び４４からなる折りたたみ式垂直側壁を備え、この折りたたみ式垂直側壁は、一端でパネル２８から伸び、他端では、パネルの底部縁部近傍でパネル２８から外方に張り出ているタブ５４によって接着剤でパネル２８に固定されている。
図２に最も明らかに示されているように、パネル２８は、折り線５２に沿って曲げられて水平支持パネル４６を形成し、この水平支持パネル４６は、水平面に置かれたときに直立した状態で搬送装置を支持するために側壁構造で形成される輪郭にぴったり合うような形と寸法を有している。水平パネル４６は、２個の比較的大きな孔４８，５０を有しており、これら孔４８，５０は、図１に孔４８にぴったり入った状態で示されているカップ６２のような飲み物カップを受け入れ保持するような形と大きさを有している。
代表的なものとして、飲み物カップは底部で頂部よりわずかに小さくなるように先細になっており、そして、孔４８，５０は、水平パネル４６の上方でかつトレイ３２の上端部５７より下方のどこかに、カップの上縁６４が位置するようにカップ６２を保持するような寸法となっている。
中央支持パネル２２の他方側にあるトレイ３０は、トレイ３２で示されたものの鏡像となる構成を有している。このように、トレイは、部分４１，４３及び４５から構成される側壁と飲み物を受けるための孔４９，５１がある水平支持パネル４７とを有している。
もう一方のタブ５４は、側壁をパネル２６に接着剤などにより固定するために用いられる。
【手続補正４】
【補正対象書類名】明細書
【補正対象項目名】００１３
【補正方法】変更
【補正の内容】
【００１３】
図３は、平らに折りたたまれた場合の図１中の食品搬送装置基部を示している。両側壁構造は両サイドに平らに折りたたまれ、水平パネル４６，４７は、中央支持パネル２２ににもたれて平らになるように上方に折りたたまれる。
搬送装置基部を広げたい場合には、食品給仕人は、折りたたまれた側壁のコーナーに指を入れ、図４中の矢印８２で示される方向に引きさえすればよく、もう一方のトレイ（図４には示されていない）において対応する点で側壁を広げトレイ３０，３２を形成する。
図２、図４及び図５そして図１４を参照すると、延設部５８、突出部５６及び５８，８８及び１００は、側壁の底部縁部５３から内方に伸び、飲み物の入った比較的重量のある多数の大きなカップを支持するため水平支持パネル４６がその上に置かれるように台（プラットフォーム）を形成している。
図４に示されるように、突出部は、トレイが広げられたとき孔４８，５０のへりに整合するように円形の切り抜き領域９０，９２の形状をしている。
長辺の横サイド４２からの突出部は一端に折り線８６を有するとともに、パネル４０の底部縁部から伸びる突出部１００に接着剤で固定されたタブ８４を有している。
突出部５６，５８は互いに固定されておらず、広げるとき突出部５６は突出部５８の頂部をすべる。
側壁部４４から出ている突出部５８は、折り線９８と、水平支持パネル４６の下に伸びるタブ９６とを有している。好ましくは、タブ９６は、トレイが広げられたとき側壁４０，４２及び４４間の空間にパネル４６を自動的に下方に向かって引く手段を提供するように、接着剤でパネル４６に固定されている。
図５は、全開した状態のトレイ３２を示している。切り抜き９０，９２は孔４８，５０と正確に位置合わせされており、周囲の突出部は水平支持パネル４６用の充分な支持部を提供している。
【手続補正５】
【補正対象書類名】明細書
【補正対象項目名】００１８
【補正方法】変更
【補正の内容】
【００１８】
（ピギーバック型搬送装置）
図１２は、本発明に係る別の食品搬送装置１４０の斜視図である。本搬送装置は、図１または図７に示される基部と同じ基部部分と、水平支持パネル４６，４７にカップ受け用孔がない点を除いて、図１に示されるユニットの基部部分と大部分において構造上同一である補助トレイ１４１からなる。
さらに、補助搬送装置１４１の半片２個は、単一のブランクから形成されているか、または、２個の分離した部材がその上端部１４３で一緒に固定されており、それゆえ、２枚のパネル１４２，１４４が中央支持パネル２２の上端部をおおっている。パネル１４２，１４４は、組合わせられた搬送装置にとって単一のハンドホール３４になるように、基部ユニットの孔３４に位置合わせされた孔３４を有している。
基部ユニットの中央支持パネル２２がパネル１４２とパネル１４４間の開口に容易にはめ込まれるように、２枚のパネル１４２，１４４は、上端部１４３で固定されている以外は、互いに固定されてはいない。
このように、補助搬送装置１４１は、基部ユニットに”ピギーバック”型で載っている。
補助搬送装置１４１は、個別にも使用される。客が固形食品のみを注文した場合や、飲み物受け用孔があいていないことで支障をきたさない場合には、この搬送装置１４１を単独で使用することができる。このように、液体食品及び固形食品の改良された搬送が提供される。さらに、補助搬送装置１４１は、追加の飲み物搬送容量を提供するために飲み物カップ受け用孔を有することもできる。
補助ユニット１４１の高さ（位置）は、基部ユニットの底部から上に適度な距離をおいて、基部ユニットのカップ受け入れ用開口にカップが保持されるのに充分な空間がとれるように選択されるべきである。
【手続補正６】
【補正対象書類名】図面
【補正対象項目名】図１
【補正方法】変更
【補正の内容】
【図１】
2006507190.tif 000001
【手続補正７】
【補正対象書類名】図面
【補正対象項目名】図２
【補正方法】変更
【補正の内容】
【図２】
2006507190.tif 000002
【手続補正８】
【補正対象書類名】図面
【補正対象項目名】図３
【補正方法】変更
【補正の内容】
【図３】
2006507190.tif 000003
【手続補正９】
【補正対象書類名】図面
【補正対象項目名】図１２
【補正方法】変更
【補正の内容】
【図１２】
2006507190.tif 000004
【手続補正１０】
【補正対象書類名】図面
【補正対象項目名】図１３
【補正方法】変更
【補正の内容】
【図１３】
2006507190.tif 000005
【手続補正１１】
【補正対象書類名】図面
【補正対象項目名】図１４
【補正方法】変更
【補正の内容】
【図１４】
2006507190.tif 000006